(57)【要約】【課題】  室内高を高くすると共に重心位置を低くして走行性能の向上を図り、除湿能力の増大、点検・整備・清掃等の作業性の向上、及び架装性の向上等を図ることができるバス用空調装置を提供する。【解決手段】  車室内を空調するバス用空調装置において、バス用空調装置は、車両の床下且つ前輪ホイールハウスの前側に、車室内に空調風を送風する空調用送風機２７とエバポレータ２２とヒータコア２３とから成るエアコンユニット６を配置した構成としたものである。【選択図】      図１
2005193753.tif 000002
【特許請求の範囲】
【請求項１】
車室内を空調するバス用空調装置において、
前記バス用空調装置は、車両の床下且つ前輪ホイールハウスの前側に、前記車室内に空調風を送風する空調用送風機とエバポレータとヒータコアとを備えたエアコンユニットを配置したことを特徴とするバス用空調装置。
【請求項２】
前記エアコンユニットは、外気導入口が前記車両の前方に向かって開口していることを特徴とする請求項１記載のバス用空調装置。
【請求項３】
前記エアコンユニットは、内気吸込口が前記車両の床に設けられていることを特徴とする請求項１記載のバス用空調装置。
【請求項４】
前記バス用空調装置は、車両の床下且つ後輪ホイールハウスより車両後方側に、コンデンサユニットを配置したことを特徴とする請求項１記載のバス用空調装置。
【発明の詳細な説明】
【技術分野】
【０００１】
本発明は、バス用空調装置に関する。
【背景技術】
【０００２】
バス用の空調装置は、ルーフ上に除湿用再熱ヒータを備えたエバポレータユニットとコンデンサユニットと冷風送風用ファンとを配置し、車両後部にコンプレッサを配置し、床下にエンジン冷却水（温水）を加熱する暖房用プレヒータ及び複数の暖房用ヒータを分散して配置し、前記冷風送風用ファンにより送風される冷風を車室内に配風する冷風用ダクトを車室上部に車両前後方向に延在して設け、車室内空気（内気）導入用の内気吸込口と導入した空気を暖房時に車室内に送風する暖房用送風ファンと、暖房用送風ファンにより送風される温風を車室内（足元）に配風する暖房用送風ダクトを車室下部に車両前後方向に延在して設けた構成とされている（例えば、特許文献１参照。）。
【特許文献１】実開昭６４−１７８１０号公報（第１図）
【発明の開示】
【発明が解決しようとする課題】
【０００３】
しかしながら、従来のバス用空調装置においては、ルーフ上にエバポレータユニット、コンデンサユニット及び冷風用送風ファンが配置されていることで、車高（全高）が高くなり、特に観光バスにおいては、同一車高で室内高が低くなり、商品性が低下する。重心位置が高くなり、転角の減少・ロール角の増大をきたす。エンジン冷却水を再熱ヒータに導くための温水パイプをルーフ上まで配管する必要があり、重量・コストが増大する。除湿用の再熱ヒータを大きくすると重量・高さが増大するために制限があり、除湿能力が小さい。内気吸込口が室内天井に設けられているため、照明装置の取付に制限がある。エバポレータの清掃等の保守作業を室内天井開口部或いはルーフ上から行う必要があり、作業性が悪い。エバポレータと暖房用ヒータとが分散して配置されているため架装費が高い等の問題がある。
【０００４】
本発明は、上述の点に鑑みてなされたもので、室内高を高くすると共に重心位置を低くして走行性能の向上を図り、除湿能力の増大、点検・整備・清掃等の作業性の向上、及び架装性の向上等を図ることができるバス用空調装置を提供することを目的とする。
【課題を解決するための手段】
【０００５】
上記目的を達成するため、請求項１の発明では、車室内を空調するバス用空調装置において、前記バス用空調装置は、車両の床下且つ前輪ホイールハウスの前側に、前記車室内に空調風を送風する空調用送風機とエバポレータとヒータコアとを備えたエアコンユニットを配置した構成としたものである。
床下の前輪ホイールハウスの前側にエアコンユニットを配置して、ルーフ高さ及び室内高を大きくし、且つ重心位置を低くして走行性能の向上を図り、更に、エアコンユニットの点検・整備・清掃等のメンテナンスを容易にできるようにしている。
【０００６】
請求項２の発明では、前記エアコンユニットは、外気導入口が前記車両の前方に向かって開口している構成とし、車両の前方からエアコンユニット内に外気を導入し、外気を取り入れ易くしている。
請求項３の発明では、前記エアコンユニットは、内気吸込口が前記車両の床に設けられている構成とし、室内の天井に設ける照明装置の取付制限をなくしている。
【０００７】
請求項４の発明では、車両の床下且つ後輪ホイールハウスより車両後方側にコンデンサユニットを配置して、ルーフ高さ及び室内高を大きくし、前輪ホイールハウスの前側にエアコンユニットを配置したことと相俟って、重心位置を低くして走行性能の更なる向上を図り、コンデンサユニットの点検・整備・清掃等のメンテナンスを容易にできるようにしている。
【発明の効果】
【０００８】
請求項１の発明によれば、ルーフ高さ及び室内高を大きくすることができ、重心位置が低くなり、転角の増大、ロール角の減少が図られて走行性能が向上する。また、エアコンユニットが床下に配置されているため架装性が良好となると共に点検・整備・清掃等のメンテナンスが容易となる。走行時におけるスプラッシュの影響を受けることがなく、錆び等に起因する腐食を防ぐことができ、耐久性の向上が図られる。更に、エバポレータと暖房用のヒータコアとをユニット化することで、従来の除湿用再熱ヒータ及びその配管が不要となり、コストの低減が図られる。また、ヒータコアを大型化することができ、除湿能力が増大する。
【０００９】
請求項２の発明によれば、走行時、特に高速走行時における負圧の影響を受け難くなり外気導入量の低減を防ぐことができる。
請求項３の発明によれば、室内の天井に設ける照明装置の取付制限がなくなり、レイアウトの自由度が大きくなる。
請求項４の発明によれば、重心位置が低くなり、転角の増大、ロール角の減少が図られ走行性能が向上する。また、架装性が良好となると共に点検・整備・清掃等のメンテナンスが容易となる。
【発明を実施するための最良の形態】
【００１０】
【実施例】
【００１１】
図１は本発明に係るバス用空調装置を装備した大型観光バスの車体の全体レイアウトを示す斜め後方から見た透視図である。車体１は、後部に走行用のエンジン４が搭載されており、左右のサイドパネル２の内側、且つ左右の前輪の各ホイールハウス（図示せず）の前側床下に空調用送風機２７とエバポレータ２２とヒータコア２３とを備えたエアコンユニット６、６（図３、図４参照）が配設され、左右の後輪の各ホイールハウス（図示せず）の後側床下にコンデンサユニット７、７及びプレヒータ８、８が配設され、後部にコンプレッサ９、９が配設されている。これらのコンプレッサ９は、エンジン４により直接駆動される。即ち、空調装置５は、コンプレッサ９が走行用のエンジン４によりベルト等を介して駆動される空調装置とされている。また、車両前部にデフロスタ１０、空調装置５の制御装置及びコントロールパネル（共に図示せず）が配設されている。
【００１２】
空調装置５は、乗員（運転者）が前記コントロールパネルにより好みの温度に設定すれば、前記制御装置のコンピュータが温度と風量を自動的にコントロールするオートエアコンシステムで、日射センサにより、温度変化への対応が早く、常に快適な室内温度を保ち続けることができる。また、不図示の内気温度センサ、ダクト温度センサ、日射センサで計った内気温度、ダクト内の温度や日射量をコンピュータが演算して指示された温度と比較し、その結果により、バキュームバルブを作動させ、水温バルブやエアミックスダンパ、更には送風ファンの回転速度等を自動的に調整するように構成されている。
【００１３】
車体１は、前記前輪のホイールハウスの前側床下位置にエアコンユニット６が配設され、前記後輪のホイールハウスの後側床下位置にコンデンサユニット７及びプレヒータ８が配設され、後部にコンプレッサ９が配設されていることで、前記前輪のホイールハウスと後輪のホイールハウスとの間に現行の車体並のトランクスペースを確保することができる。
【００１４】
冷風を車室内に配風する冷房ダクト（冷風用ダクト）１１、１１は、車室上部の左右に車体１の前後方向に延在して設けられ、各前端が夫々左右のダクト１３、１３の上端に接続され、各後端が閉塞されている。左右のダクト１３、１３の下端は夫々左右のエアコンユニット６、６の各吹出口２４（図４）に接続されている。冷房ダクト１１には下方に向けて吹出口１１ａが間隔を存して多数設けられている。温風を車室内に配風する暖房ダクト（暖房用送風ダクト）１２、１２は、車室下部の左右に車両前後方向に延在して設けられ、各前端が夫々ダクト１３、１３に接続され、各後端が閉塞されている。暖房ダクト１２の側面には床と略並行に車体中央に向けて吹出口１２ａが間隔を存して多数設けられており、乗員の足元に温風を吹き出すようになっている。
【００１５】
ダクト１３内にはダンパが設けられており、冷房時にはエアコンユニット６から冷房ダクト１１に冷風を導き、暖房時にはエアコンユニット６から暖房ダクト１２に温風を導くようになっている。デフロスタ１０の空気導入口１０ａは、一方のダクト１３に接続されると共に外気に開口されており、ダンパによりエアコンユニット６から吹き出される空気又は外気を選択的に導入可能とされている。
【００１６】
冷房ダクト１１、１１には前端に前部ゾーン制御ファンモータ１５が、後端に後部ゾーン制御ファンモータ１６が設けられており、車室内空調を前部ゾーン・中部ゾーン・後部ゾーンに３分割してゾーンコントロールを可能としている。これにより、より快適な室内空調を可能としている。車室後部の上部位置には排気用のダクト１７が設けられており、車室内に臨んで内気吸込口１７ａが、両端に排気口１７ｂが設けられ、排気口１７ｂは、サイドパネル２の後端上部に設けられた排気口２ａに接続されて室内空気を車外に排出する。
【００１７】
図２は、図１に示すエアコンユニット６の外気導入口及び内気吸込口部位の車体１のＺ矢視図、図３は、図２の矢線III−IIIに沿う断面図、図４は、図２の矢線IV―IVに沿う断面図である。
エアコンユニット６は、図２乃至４に示すようにハウジング２１内にエバポレータ２２と暖房用のヒータコア２３とが一体に収納され、ハウジング２１の前面２１ａのサイドパネル２側上部位置に上下方向に長い長方形状の外気導入口２１ｆが、上面２１ｂのサイドパネル２側の後部位置に内気吸込口２１ｇが、側面２１ｃの下部に空調用送風機２７の吸込口である窓２１ｈが設けられており、窓２１ｈに続いて上方に開口する吹出口２４が設けられている（図４）。外気導入口２１ｆは、内気吸込口２１ｇよりも小さく、略半分程度の大きさとされている。
【００１８】
吹出口２４の下部には窓２１ｈと対向して送風ファン２５と、この送風ファン２５を駆動するモータ２６からなる空調用送風機２７が設けられており（図４）、外気導入口２１ｆに導風ガイド２８が開閉可能に設けられている（図３）。この導風ガイド２８は、図３に矢印で示すように外気導入口２１ｆから導入した外気Ａと内気吸込口２１ｇから吸い込んだ内気Ｂとを良好に混合させるためのもので前記制御装置により最適な位置に制御される。尚、外気導入口２１ｆには走行時に路面から飛び上がった小石等の異物による破損や吸込を防止するための蓋体としてのグリルや、導入する外気中の塵埃を除去するフィルタ（共に図示せず）等が装着されている。
【００１９】
図４に示すようにエバポレータ２２とヒータコア２３は、直列に密接して配置され、エバポレータ２２が外気導入口２１ｆと内気吸込口２１ｇ側に配置されている。エバポレータ２２とヒータコア２３は、上部が内側の側壁２１ｃ側に、下部が外側の側壁２１ｄ側に近づくように傾斜して配置されており、矢印で示すように外気導入口２１ｆから導入された外気と内気吸込口２１ｇから導入された内気とが混合されて窓２１ｈに向かって流れる際にこれらのエバポレータ２２、ヒータコア２３内を略均一に流れて効率よく熱交換されるようになっている。
【００２０】
尚、外気導入口２１ｆは、上下方向に長い長方形状としたが、これに限るものではなく、エバポレータ２２とヒータコア２３の傾斜に応じて上側を広くして台形状としてもよい。また、エバポレータ２２とヒータコア２３は、上述したように傾斜させて配置することに限るものではなく垂直に配置しても良い。
エアコンユニット６の吹出口２４は、前述したようにダクト１３の下端に接続され、図２に示すように内気吸込口２１ｇは、ダクト３０を介して床３に設けられた内気吸込口３ａに接続されており、開口部にカバーとしてのグリルや、内気中の塵埃を除去するフィルタ（共に図示せず）等が装着されている。エアコンユニット６の内気吸込口２１ｇが床３に設けられていることで天井に室内照明装置を取り付ける際の制限がなくなり、照明装置を取り付ける際のレイアウトの自由度が向上する。
【００２１】
左右の各エアコンユニット６のエバポレータ２２、コンデンサユニット７、コンプレッサ９は、夫々不図示の配管で接続され、ヒータコア２３及びプレヒータ８は、不図示の温水パイプによりエンジン４の冷却水循環経路に接続されてエンジン冷却水（温水）が供給されて加熱される。また、エアコンユニット６の送風用モータ２６、冷房ダクト１１の前部ゾーン制御ファンモータ１５、後部ゾーン制御ファンモータ１６等は、前記制御装置に接続されている。前記制御装置は、マイクロコンピュータを備えており、前記コントロールパネルの設定に応じて冷房から暖房までの全モードを自動的に選択し、四季を通して室内空調を最適に制御する。
【００２２】
尚、冷房ダクト１１及び暖房ダクト１２のダクト側のシステムは、現行車両の冷房ダクト及び暖房ダクトと同じシステムで対処可能とされており、互換性を有している。
以下に動作を説明する。
エアコンユニット６の送風機２７が作動すると、図２及び図３に矢印で示すように外気導入口２１ｆから外気Ａが、内気導入口２１ｇから室内空気（内気）Ｂがエアコンユニット６内に導入される。外気導入口２１ｆから導入された外気Ａは、導風ガイド２８により図３に矢印で示すようにハウジング２１の後部に導かれ、上面２１ｂの後部に設けられた内気吸込口２１ｇから吸い込まれた内気Ｂと十分に混合される。このように導入した外気と内気とを十分に混合することができるために低外気温時（０℃〜５℃位）における除湿能力が向上する。
【００２３】
エアコンユニット６は、前輪のホイールハウスの前側に配置され、外気導入口２１ｆが車両前方に向かって開口されていることで、高速走行時の負圧の影響を受け難く、外気導入量の減少が防止される。また、走行時における前輪によるスプラッシュの影響を受けることがなく、錆び等に起因する腐食が防止され、耐久性が向上する。
ハウジング２１内に導入されて混合された外気と内気（以下「内・外気」という）は、図４に矢印で示すようにエバポレータ２２により熱交換される。冷房時には導入された内・外気は、エバポレータ２２により冷却された後ヒータコア２３により加熱除湿されて冷房ダクト１１に送風される。冷房ダクト１１に導入された冷風は、図１に示す前部ソーン制御ファンモータ１５、後部ゾーン制御モータ１６によりゾーンコントロールされて各吹出口１１ａから吹き出されて車室内を冷房する。また、低外気温時には除湿機能が働き、デフロスタ１０から除湿された空気が吹き出されてフロントガラスの曇りを除去する。暖房時にはエバポレータ２２による熱交換が停止し、導入された内・外気がヒータコア２３により加熱されて暖房ダクト１２に送風され、乗員の足元の吹き出し口１２ａから吹き出されて室内を暖房する。
【図面の簡単な説明】
【００２４】
【図１】本発明に係るバス用空調装置を装備した大型観光バスの車体の全体レイアウトを示す斜め後方から見た透視図である。（実施例）
【図２】図１に示すエアコンユニットの外気導入口及び内気吸込口部位における車体のＺ矢視図である。
【図３】図２の矢線III−IIIに沿う断面図である。
【図４】図２の矢線IV−IVに沿う断面図である。
【符号の説明】
【００２５】
１  車体
２  サイドパネル
３  床
４  エンジン
５  空調装置
６  エアコンユニット
７  コンデンサユニット
８  プレヒータ
９  コンプレッサ
１０  デフロスタ
１１  冷房ダクト
１２  暖房ダクト
２１  エアコンユニットのハウジング
２１ｆ  外気導入口
２１ｇ  内気吸込口
２２  エバポレータ
２３  ヒータコア
２７  送風機
２８  導風ガイド
【図１】
2005193753.tif 000003
【図２】
2005193753.tif 000004
【図３】
2005193753.tif 000005
【図４】
2005193753.tif 000006